【手続補正書】
【提出日】平成18年9月6日(2006.9.6)
【手続補正１】
【補正対象書類名】特許請求の範囲
【補正対象項目名】全文
【補正方法】変更
【補正の内容】
【特許請求の範囲】
【請求項１】
メッセージデータを受信して表示部に該メッセージを表示可能な無線受信機であって、メッセージデータを受信すると、受信したメッセージデータ中にメロディのデータが含まれない場合には、メッセージを記憶部に記憶し、表示指示により、記憶されたメッセージを表示部に表示し、受信したメッセージデータ中にメロディのデータが含まれる場合は、利用者の指示に従って、複数のメロディのデータを記憶している記憶部に該メロディのデータを追加して記憶し、当該記憶部に追加して記憶されたメロディのデータが着信報知音として設定されると、当該設定後に着信があったとき初めて、当該記憶部に追加して記憶されて設定されたメロディを着信報知音として鳴動することを特徴とする無線受信機。
【請求項２】
メッセージデータを受信して表示部に該メッセージを表示可能な無線受信機であって、メッセージデータを受信すると、予め着信報知音として設定されている着信報知音で鳴動し、受信したメッセージデータ中にメロディのデータが含まれない場合には、メッセージを記憶部に記憶し、表示指示により、記憶されたメッセージを表示部に表示し、受信したメッセージデータ中にメロディのデータが含まれる場合は、利用者の指示に従って、複数のメロディのデータを記憶している記憶部に該メロディのデータを追加して記憶し、当該記憶部に追加して記憶されたメロディのデータが着信報知音として設定されると、当該設定後に着信があったとき、当該記憶部に追加して記憶されて設定されたメロディを着信報知音として鳴動することを特徴とする無線受信機。
【請求項３】
メッセージデータを受信して表示部に該メッセージを表示可能な無線受信機であって、メッセージデータを受信する受信部と、受信したメッセージデータ中にメロディのデータが含まれない場合にメッセージを記憶する記憶部と、該受信したメッセージを表示する表示部とを備え、前記記憶部は複数のメロディのデータを記憶する記憶部であって、受信したメッセージデータ中にメロディのデータが含まれる場合に利用者の指示に従って該メロディのデータを追加して記憶する記憶部であり、当該記憶部に追加して記憶されたメロディのデータが着信報知音として設定されると、当該設定後に着信があったとき初めて、当該記憶部に追加して記憶されて設定されたメロディを着信報知音として鳴動する報知部を更に備えることを特徴とする無線受信機。
【請求項４】
メッセージデータを受信して表示部に該メッセージを表示可能な無線受信機であって、メッセージデータを受信する受信部と、メッセージデータを受信すると予め着信報知音として設定されている着信報知音で鳴動する報知部と、受信したメッセージデータ中にメロディのデータが含まれない場合にメッセージを記憶する記憶部と、該受信したメッセージを表示する表示部とを備え、前記記憶部は複数のメロディのデータを記憶する記憶部であって、受信したメッセージデータ中にメロディのデータが含まれる場合に利用者の指示に従って該メロディのデータを追加して記憶する記憶部であり、前記報知部は、当該記憶部に追加して記憶されたメロディのデータが着信報知音として設定されると、当該設定後に着信があったとき、当該記憶部に追加して記憶されて設定されたメロディを着信報知音として鳴動する報知部であることを特徴とする無線受信機。
【請求項５】
受信したメッセージを第１の記憶部に記憶し、受信したメロディのデータを第２の記憶部に記憶することを特徴とする請求項１乃至４記載の無線受信機。
【請求項６】
メッセージデータを受信して表示部に該メッセージを表示可能な無線受信機のデータ受信方法であって、メッセージデータを受信するステップと、受信したメッセージデータ中にメロディのデータが含まれない場合にメッセージを記憶部に記憶するステップと、該受信したメッセージを表示部に表示するステップと、受信したメッセージデータ中にメロディのデータが含まれる場合に、利用者の指示に従って、複数のメロディのデータを記憶している記憶部に該メロディのデータを追加して記憶するステップと、当該記憶部に追加して記憶されたメロディのデータが着信報知音として設定されるステップと、当該設定後に着信があったとき初めて、当該記憶部に追加して記憶されて設定されたメロディを着信報知音として鳴動するステップを備えることを特徴とする無線受信機のデータ受信方法。
【請求項７】
メッセージデータを受信して表示部に該メッセージを表示可能な無線受信機のデータ受信方法であって、メッセージデータを受信するステップと、メッセージデータを受信すると予め着信報知音として設定されている着信報知音で鳴動するステップと、受信したメッセージデータ中にメロディのデータが含まれない場合にメッセージを記憶部に記憶するステップと、該受信したメッセージを表示部に表示するステップと、受信したメッセージデータ中にメロディのデータが含まれる場合に、利用者の指示に従って、複数のメロディのデータを記憶している記憶部に該メロディのデータを追加して記憶するステップと、当該記憶部に追加して記憶されたメロディのデータが着信報知音として設定されるステップと、当該設定後に着信があったとき、当該記憶部に追加して記憶されて設定されたメロディを着信報知音として鳴動するステップを備えることを特徴とする無線受信機のデータ受信方法。
【手続補正２】
【補正対象書類名】明細書
【補正対象項目名】０００７
【補正方法】変更
【補正の内容】
【０００７】
上記従来例の問題点を解決するための本発明は、メッセージデータを受信して表示部に該メッセージを表示可能な無線受信機であって、メッセージデータを受信すると、受信したメッセージデータ中にメロディのデータが含まれない場合には、メッセージを記憶部に記憶し、表示指示により、記憶されたメッセージを表示部に表示し、受信したメッセージデータ中にメロディのデータが含まれる場合は、利用者の指示に従って、複数のメロディのデータを記憶している記憶部に該メロディのデータを追加して記憶し、当該記憶部に追加して記憶されたメロディのデータが着信報知音として設定されると、当該設定後に着信があったとき初めて、当該記憶部に追加して記憶されて設定されたメロディを着信報知音として鳴動することを特徴とする。
本発明は、メッセージデータを受信して表示部に該メッセージを表示可能な無線受信機であって、メッセージデータを受信すると、予め着信報知音として設定されている着信報知音で鳴動し、受信したメッセージデータ中にメロディのデータが含まれない場合には、メッセージを記憶部に記憶し、表示指示により、記憶されたメッセージを表示部に表示し、受信したメッセージデータ中にメロディのデータが含まれる場合は、利用者の指示に従って、複数のメロディのデータを記憶している記憶部に該メロディのデータを追加して記憶し、当該記憶部に追加して記憶されたメロディのデータが着信報知音として設定されると、当該設定後に着信があったとき、当該記憶部に追加して記憶されて設定されたメロディを着信報知音として鳴動することを特徴とする。
【手続補正３】
【補正対象書類名】明細書
【補正対象項目名】０００８
【補正方法】変更
【補正の内容】
【０００８】
本発明は、メッセージデータを受信して表示部に該メッセージを表示可能な無線受信機であって、メッセージデータを受信する受信部と、受信したメッセージデータ中にメロディのデータが含まれない場合にメッセージを記憶する記憶部と、該受信したメッセージを表示する表示部とを備え、前記記憶部は複数のメロディのデータを記憶する記憶部であって、受信したメッセージデータ中にメロディのデータが含まれる場合に利用者の指示に従って該メロディのデータを追加して記憶する記憶部であり、当該記憶部に追加して記憶されたメロディのデータが着信報知音として設定されると、当該設定後に着信があったとき初めて、当該記憶部に追加して記憶されて設定されたメロディを着信報知音として鳴動する報知部を更に備えることを特徴とする。
本発明は、メッセージデータを受信して表示部に該メッセージを表示可能な無線受信機であって、メッセージデータを受信する受信部と、メッセージデータを受信すると予め着信報知音として設定されている着信報知音で鳴動する報知部と、受信したメッセージデータ中にメロディのデータが含まれない場合にメッセージを記憶する記憶部と、該受信したメッセージを表示する表示部とを備え、前記記憶部は複数のメロディのデータを記憶する記憶部であって、受信したメッセージデータ中にメロディのデータが含まれる場合に利用者の指示に従って該メロディのデータを追加して記憶する記憶部であり、前記報知部は、当該記憶部に追加して記憶されたメロディのデータが着信報知音として設定されると、当該設定後に着信があったとき、当該記憶部に追加して記憶されて設定されたメロディを着信報知音として鳴動する報知部であることを特徴とする。
本発明は、受信したメッセージを第１の記憶部に記憶し、受信したメロディのデータを第２の記憶部に記憶することを特徴とする。
【手続補正４】
【補正対象書類名】明細書
【補正対象項目名】０００９
【補正方法】変更
【補正の内容】
【０００９】
本発明は、メッセージデータを受信して表示部に該メッセージを表示可能な無線受信機のデータ受信方法であって、メッセージデータを受信するステップと、受信したメッセージデータ中にメロディのデータが含まれない場合にメッセージを記憶部に記憶するステップと、該受信したメッセージを表示部に表示するステップと、受信したメッセージデータ中にメロディのデータが含まれる場合に、利用者の指示に従って、複数のメロディのデータを記憶している記憶部に該メロディのデータを追加して記憶するステップと、当該記憶部に追加して記憶されたメロディのデータが着信報知音として設定されるステップと、当該設定後に着信があったとき初めて、当該記憶部に追加して記憶されて設定されたメロディを着信報知音として鳴動するステップを備えることを特徴とする。
本発明は、メッセージデータを受信して表示部に該メッセージを表示可能な無線受信機のデータ受信方法であって、メッセージデータを受信するステップと、メッセージデータを受信すると予め着信報知音として設定されている着信報知音で鳴動するステップと、受信したメッセージデータ中にメロディのデータが含まれない場合にメッセージを記憶部に記憶するステップと、該受信したメッセージを表示部に表示するステップと、受信したメッセージデータ中にメロディのデータが含まれる場合に、利用者の指示に従って、複数のメロディのデータを記憶している記憶部に該メロディのデータを追加して記憶するステップと、当該記憶部に追加して記憶されたメロディのデータが着信報知音として設定されるステップと、当該設定後に着信があったとき、当該記憶部に追加して記憶されて設定されたメロディを着信報知音として鳴動するステップを備えることを特徴とする。